(57)【要約】【課題】タッチパネルへの入力操作で使用される電子機器に関し、指などを近接させた状態でのフリック操作で、さらに使い易くなる構成のものを提供する。【解決手段】表示素子１４の上面側に指などの近接を検出することが可能な静電容量式タッチパネル２０が配された電子機器であって、アイコンや操作メニューが表示部内に表示された状態で、上記アイコンや操作メニューに指などを近接させていくと、ポップアップ表示７０が開き、そのポップアップ表示７０中の所望の選択候補側に向けてフリック操作すると、上記所望の選択候補の確定がなされるようにした。【選択図】図９
2014067146.tif 000002
【特許請求の範囲】
【請求項１】
表示部の上面側に指などの近接を検出することが可能なタッチパネルが配された電子機器であって、上記表示部にアイコンや操作メニューが表示された状態で、そのアイコンや操作メニューに指などを近接させていき、上記タッチパネル上に近接状態のまま上記指などを所望の選択候補の方向に向けてフリック操作すると、上記所望の選択候補の確定がなされる電子機器。
【請求項２】
アイコンや操作メニューに指などを近接させていくと、ポップアップ表示が開き、そのポップアップ表示中の所望の選択候補側に向けてフリック操作すると、上記所望の選択候補の確定がなされる請求項１記載の電子機器。
【発明の詳細な説明】
【技術分野】
【０００１】
本発明は、主にタッチパネルへの入力操作で使用される電子機器に関するものである。
【背景技術】
【０００２】
近年、表示部の上面側に透明なタッチパネルが配されている構成の電子機器が増えている。情報通信端末では、例えばスマートフォンの普及が進んでおり、それらの機器においては、表示部に表示される各種アイコンや表示内容をタッチパネルなどを通じて視認し、所望機能を働かせるためのアイコン位置をタッチして入力確定をするもの、所謂タッチ操作をしてその機能を作動させる電子機器が増えている。
【０００３】
そして、そのタッチパネルとしては静電容量式タッチパネルを用いた構成のものが増えており、この静電容量式タッチパネルを用いたものでは、上記タッチ操作に加えて、指などを近接させたことを検出することも可能となる。その用途として、特許文献１には、例えば、指などを近接させた状態でフリック操作をすると画像のスクロールがなされる技術が提案されている。
【０００４】
なお、この出願の発明に関連する先行技術文献情報としては、例えば、特許文献１が知られている。
【先行技術文献】
【特許文献】
【０００５】
【特許文献１】特開２０１２−１３３５２５号公報
【発明の概要】
【発明が解決しようとする課題】
【０００６】
従来のものとして、スマートフォンの静電容量式タッチパネルに対し、指などを近接させた状態でのフリック操作を検出して画像をスクロールさせるものの提案がされている。これであれば、大量の写真などの画像が簡単に閲覧できて好ましかったが、本出願人は、上記操作形態を他の制御用に用いることにより、さらに使い易い電子機器を得るための検討を続けていた。
【０００７】
本発明はこのような課題を解決するものであり、指などを近接させた状態でのフリック操作で、さらに使い易くなる構成の電子機器を提供することを目的とする。
【課題を解決するための手段】
【０００８】
上記目的を達成するために本発明は、以下の構成を有するものである。
【０００９】
本発明の請求項１記載の発明は、表示部の上面側に指などの近接を検出することが可能なタッチパネルが配された電子機器であって、上記表示部にアイコンや操作メニューが表示された状態で、そのアイコンや操作メニューに指などを近接させていき、上記タッチパネル上に近接状態のまま上記指などを所望の選択候補の方向に向けてフリック操作すると、上記所望の選択候補の確定がなされる電子機器としたものである。
【００１０】
これであれば、所望のアイコンや操作メニューに指などを近づけてフリック操作をするのみで、所望のものを容易に確定できる使い易い電子機器を得ることができるという作用を有する。
【００１１】
請求項２に記載の発明は、請求項１記載の発明において、アイコンや操作メニューに指などを近接させていくと、ポップアップ表示が開き、そのポップアップ表示中の所望の選択候補側に向けてフリック操作すると、上記所望の選択候補の確定がなされるものであり、複数の候補を同時に視認しつつそれらの中から所望のものを容易に確定させることができるという作用を有する。
【発明の効果】
【００１２】
以上のように本発明によれば、所望のアイコンや操作メニューに指などを近づけてフリック操作をするのみで、所望のものを容易に確定できる使い易い電子機器が得られるという効果を得ることができる。
【図面の簡単な説明】
【００１３】
【図１】本発明の実施の形態による電子機器の断面図
【図２】同分解斜視図
【図３】同機器における使用状態を説明するための図
【図４】同機器における使用状態を説明するための図
【図５】同機器における使用状態を説明するための図
【図６】感度変化の閾値を説明するための図
【図７】同機器における使用状態を説明するための図
【図８】同機器における使用状態を説明するための図
【図９】同機器における使用状態を説明するための図
【図１０】同機器における使用状態を説明するための図
【図１１】フリック操作の有効性の判定について説明する図
【図１２】フリック操作の有効性の判定について説明する図
【図１３】フリック操作の有効性の判定について説明する図
【発明を実施するための形態】
【００１４】
以下、本発明の実施の形態について、図１〜図１３を用いて説明する。
【００１５】
（実施の形態）
図１は本発明の実施の形態による電子機器の断面図、図２は同分解斜視図である。
【００１６】
当該実施の形態による電子機器は、図１や図２に示したように、機器筐体としてなるケース１０内に、機器の制御をする制御部などを備えた配線基板１２が位置決めして収容配置され、その上方に液晶などの表示素子１４が同じく位置決めして収容状態で配されている。表示素子１４の上面側には、静電容量式タッチパネル２０が位置決めして配されている。静電容量式タッチパネル２０の上面側にはガラスなどからなる透明なカバー部材１６が配され、カバー部材１６はケース１０に結合されている。なお、１８は、配線基板１２の下方に収容された電池パックである（図２では図示を省略する）。
【００１７】
静電容量式タッチパネル２０としては、指などが近接した際に、その座標位置が検出可能なものであれば構成等は特に限定はされないが、その事例として、図２に示したものがあげられ、その構成について以下に簡単に説明する。
【００１８】
当該静電容量式タッチパネル２０は、図２に示したように、透明なＰＥＴフィルムなどからなる上基板２１および下基板２５の間がＯＣＡ（光学透明両面テープ）等によって粘着固定されている。上基板２１には、前後方向に沿って帯状に伸びる複数の上導電層２２が形成されている。それぞれの上導電層２２の後端は、対応する各配線部２３の一端に接続されている。各配線部２３は上基板２１の後部位置に形成されており、それらの他端は上基板２１後端に形成されている上電極２４にそれぞれ接続されている。下基板２５には、左右方向に沿って帯状に伸びる複数の下導電層２６が形成されている。それぞれの下導電層２６の左端もしくは右端は、対応する各配線部２７の一端に接続されている。各配線部２７は、下基板２５の左右の周縁部を後方に向けて引き回されて下基板２５の後部位置内に至り、それらの他端が下基板２５後端に形成されている下電極２８にそれぞれ接続されている。２９は、上電極２４および下電極２８からの出力を取り出すため等に装着されたフレキシブル配線板であり、これらで静電容量式タッチパネル２０が構成されている。
【００１９】
上述したように、上基板２１の上面側には重ねてカバー部材１６が配されている。これらの間もＯＣＡ（光学透明両面テープ）等によって粘着固定されている。
【００２０】
ここに、本発明は、上記のような静電容量式タッチパネルを有している電子機器の使用状態に特徴を有しており、その使用状態について、以下、文字の入力操作を例として説明する。
【００２１】
図３および図４は同機器における使用状態を説明するための図であって、図３は文字入力用の選択メニューの要部を抜粋して示したものであり、また図４は文字入力用の選択メニューからの制御フローを示したものである。
【００２２】
まず、当該機器において、所定操作をして、図３に示す文字入力用の選択メニューが、表示部のビューエリア内に表示されている状態（図４中のステップ０に相当）に移行させる。
【００２３】
文字入力用の選択メニューとしては、所謂アイコンの表示でなされたアイコン表示形式を含んだものとなっている。つまり、図３に示すように、「Ａ」の文字が表示された英字入力アイコン３０と、「あ」の文字が表示された日本語入力アイコン４０とが、表示部内における画面下方位置に、互いの間に間隔をあけて左右に並べて表示されている。また、それらの前方位置には、確定した文字などを表示するための表示領域５０が設けられている。
【００２４】
英字入力アイコン３０は、略正方形でのアイコンで表示されており、図３に一点鎖線で示した同アイコンを囲む領域が、同アイコンへの操作に応じて生じる感度変化を検出するための判定範囲となっている。以下、その領域内を「範囲１」と記載する。同様に、日本語入力アイコン４０も、略正方形のアイコンに表示されており、図３に一点鎖線で示した同アイコンを囲む領域が、同アイコンへの操作に応じて生じる感度変化を検出するための判定範囲となっている。以下、その領域を「範囲２」と記載する。
【００２５】
まず、図３に示した文字入力用の選択メニューが表示されている状態で、ビューエリア上に指などを位置させると、その位置に応じた静電容量式タッチパネル２０箇所には周知のように容量変化つまり感度変化（ｚ）を生じ、制御部で感度変化（ｚ）が生じた箇所の座標位置（ｘ，ｙ）が検出される。
【００２６】
つまり、指などが画面の上方に位置されていない所謂ゼロ感度から感度変化（ｚ）を座標位置（ｘ１，ｙ１）で生じたことが、図４のステップ１で機器の制御部により検出され、かつステップ２として、その感度変化（ｚ）が、「範囲１」内の座標位置で生じたことが制御部で認識されると、制御部は「範囲１」に応じた英字入力アイコン３０が選択候補になっていると判別し、ステップ３で、英字入力アイコン３０を予告表示状態で表示させて選択候補になっていることを視認可能とする。なお、感度変化（ｚ）が「範囲２」内の座標位置で生じたことが検出されれば、同様に日本語入力アイコン４０が予告表示状態で表示され、それら以外であればステップ１に戻る。
【００２７】
予告表示状態の表示形式などは特に限定はされないが、例えば図５に示すように、選択候補と判別された英字入力アイコン３０に対し太い外枠が付加されるなどして表示されたり、それ以外に英字入力アイコン３０自体の表示色が変わったり、コントラストが変化したりするものなどがあげられる。
【００２８】
そして、当該機器においては、図６の感度変化の閾値を説明するための図に示すように、感度変化の閾値として、小さい閾値Ａとそれよりも大きい閾値Ｂとを設定しており、検出された座標位置での感度変化の大きさをこれらの閾値と対比して制御するものとしている。なお、図６は、縦軸が検出された感度変化（ｚ）の大きさで横軸に時間（ｔ）をとって、所定座標位置での感度変化の変化状態を模式的に示したものである。
【００２９】
上述した図５の英字入力アイコン３０が予告表示状態であるとき、さらに使用者が指などを英字入力アイコン３０上に近接させていくと「範囲１」内の座標位置での感度変化が大きくなる。そして、図４のステップ４において、「範囲１」内の座標位置での感度変化ｚ１が閾値Ａよりも大きくなり、その状態で予め設定された所定の時間ｔ１が経過すると、制御部は、ステップ５として、英字入力アイコン３０の下位の画面に表示を遷移させる。つまり、英字入力アイコン３０の場合には、図７に示した英字入力モード部６０を含む表示に画面を切り替える。なお、指などの高さが変わらず、「範囲１」内の座標位置での感度変化が閾値Ａを超えない場合には、英字入力アイコン３０は予告表示のまま維持される。
【００３０】
また、図４には記載を省略したが、ステップ３の状態のときに指などが「範囲１」から外れて、感度変化した座標位置が「範囲１」内で検出されなくなると英字入力アイコン３０の予告表示状態が解除され、元の図３の状態に戻る。ステップ４でも、時間ｔ１が経過する前に感度変化した座標位置が「範囲１」内で検出されなくなっても同様に図３の状態に戻る。ここに、時間ｔ１については、応答性を考慮すれば例えば３００ｍｓｅｃ程度が好ましい。その時間ｔ１の長さは使用者が好みで変更可能とされていてもよい。なお、以下にも各種判定時に時間を用いて判定をしているが、それらの時間設定についての詳細説明は省略する。それらについても、適宜、応答性や判定内容などを加味して長さ設定などをしておけばよいことや、使用者側で変更可能なようになっていてもよいことは同様である。
【００３１】
また、アイコンの予告表示状態への切り替えを、閾値を境に行うものとしてもよい。つまり、閾値Ａよりも小さい新たな閾値をもたせて、その閾値を超えた感度変化の検出状態が上記アイコン内で所定時間以上続いた場合に予告表示状態に移行するようにしてもよい。また、以上に説明した閾値の大きさも使用者により変更可能にされていてもよい。
【００３２】
そして、切り替わって表示された英字入力アイコン３０の下位の画面は、図７の英字入力モード部６０を含み、その英字入力モード部６０は、図７に示したように、上記表示領域５０の後方位置に、複数の略長方形のアイコンが互いに隣接する行列状態で配置されて構成されたものとなっている。
【００３３】
各アイコンとしては、英字のアルファベット順での三文字もしくは四文字が割り当てられてそれらの英字がまとめて表示されているもの、スペースキー、リターンキー、バックスペースキーなどがそれぞれアイコン化されている。なお、アイコン化されるものはこれら以外であってもよい。この英字入力モード部６０における感度変化の判定領域としては、行列配置されている各アイコンの全体領域を含み、その全体領域よりも少し大きい領域の「範囲３」で設定している（図７の一点鎖線で囲う範囲）。これは、後述するフリック操作時に上記全体領域から指などが外れることがあることを考慮して、「範囲３」を上記全体領域からひとまわり大きく設定している。
【００３４】
そして、図８は、この英字入力モード部６０を含む表示画面状態での制御フローを示す図であり、ステップ１０を、指などの近接によって閾値Ａより大きい感度変化ｚ２が「範囲３」内の座標位置（ｘ２，ｙ２）で検出され、その状態が、予め設定された所定の時間ｔ２未満であるときとし、それ以後の制御フローを示すものである。なお、以下の説明は、指などが「ＡＢＣ」のアイコン上に近接し、座標位置（ｘ２，ｙ２）が「ＡＢＣ」のアイコン内で検出されたものとして説明する。
【００３５】
ステップ１１において上記状態のまま所定の時間ｔ２を経過すると、制御部は、上記座標位置（ｘ２，ｙ２）を含むアイコン、言い換えると指などに対向している座標位置（ｘ２，ｙ２）に応じたアイコンを予告表示状態で表示する（ステップ１２）。図７は、上記時間ｔ２を超えた後の状態を図示したもので、「ＡＢＣ」のアイコンが外枠付きの予告表示になった状態を示している。
【００３６】
なお、図８への記載は省略したが、所定の時間ｔ２を超える前に指などが移動されると、その場合には移動先で検出される新たな座標位置が「範囲３」内にあり、かつ閾値Ａを超えたままであればステップ１０が繰り返され、また、指などが画面から遠ざけられて閾値Ａ以下の感度変化まで小さくなれば、ステップ１またはステップ２まで戻る。
【００３７】
そして、図７の予告表示された「ＡＢＣ」のアイコンの中から所望の文字「Ａ」を入力するために、使用者は、さらに指などを「ＡＢＣ」のアイコンに近づける。制御部は、図８に示すステップ１３として、「ＡＢＣ」のアイコン内で検出されている座標位置での感度変化ｚ３の大きさを閾値Ｂと対比し、閾値Ｂより大きくなった時点で計時を始め、その状態のまま所定の時間ｔ３が経過すると、ステップ１４として、そのアイコン内容に応じたポップアップ表示７０（図９参照）を、予告表示されているアイコン位置を中心として重ねて開く。なお、所定の時間ｔ３を超える前に指などが「ＡＢＣ」のアイコン内から移動された場合は、移動先の指などが検出されている座標位置とその位置での感度変化の大きさなどを基に適合するステップに戻る。
【００３８】
ポップアップ表示７０は、図９に示したように、略正方形の中央部の左辺、後辺、右辺のそれぞれに略正方形の左方部、後方部、右方部が連結されている形状になっており、その左方部に「Ａ」の文字が位置して表示され、後方部に「Ｃ」の文字が位置して表示され、右方部に「Ｂ」の文字が位置して表示されたものとなっている。言い換えると、ポップアップ表示７０としては、選択候補が互いに重ならないように中央部の周囲位置に連結状態で位置する配置形態のものとなっており、指などが最も近接している部分はポップアップ表示７０での中央部上に対応し、そのポップアップ表示７０での中央部の領域内が「範囲４」として設定される。そして、このポップアップ表示７０は、中央部の「範囲４」に指などが検出されない所定の時間ｔ４が経過すると、自動で閉じるように制御部によって制御されている。
【００３９】
図１０は、ポップアップ表示７０が開いた状態からの制御フローを示す図であり、そのステップ２０としては、閾値Ｂより大きい感度変化ｚ３が「範囲４」内の座標位置（ｘ３，ｙ３）で検出されている状態としている。
【００４０】
そして、図９の状態から所望の文字「Ａ」を確定するには、使用者は、ポップアップ表示７０の中央部位置から指などを所望の文字「Ａ」が表示された左方向に向けてフリック操作をして「範囲４」から指などを移動させる。これによって、検出される座標位置が「範囲４」内から移動して、詳細は後述するが、その軌跡の方向や速度などを基に制御部はステップ２１において上記操作の有効性の判定をする。そして、それが有効なフリック操作であると判定された際に、ステップ２２で上記操作方向に対応して位置された文字「Ａ」が確定されたと判定して表示領域５０内に「Ａ」の文字を表示させる。同様に、「Ｂ」または「Ｃ」を確定するには、上記ポップアップ表示７０の中で、中央部位置から指などを「Ｂ」が位置した右方向または「Ｃ」が位置した後方向に向けてフリック操作をして、ステップ２１での判定後、表示領域５０内に確定された文字が表示される。
【００４１】
ここでフリック操作の有効性の判定につき、図１１と図１２を用いて説明する。当該機器での判定としては、閾値Ｂより大きい感度変化ｚ３が「範囲４」内の座標位置（ｘ３，ｙ３）で検出されている状態から、指などが所定距離Ｌ以上で有効方向に向けて移動され、かつその所定距離Ｌが移動時間Ｔ以下でなされたことの検出結果が得られた場合に、有効なフリック操作がなされたとする判定条件としている。
【００４２】
まず、フリック操作の操作方向については、図１１に示すように、上記ポップアップ表示７０の場合では、「範囲４」の中央を中心として周囲全周を９０度間隔で区分けして、「Ａ」では４５度以上１３５度未満の間の方向に向けて指などが移動された場合に有効方向と判定し、「Ｃ」では１３５度以上２２５度未満の間の方向に向けて指などが移動された場合に有効方向と判定し、「Ｂ」では２２５度以上３１５度未満の間の方向に向けて指などが移動された場合に有効方向と判定する。一方、それら以外の角度内（０度から４５度未満までの角度と３１５度以上から０度までの角度）の方向に向けて指などが移動された場合にはエラー判定となるようにしている。なお、上記の角度の設定値などは適宜設定すればよい。
【００４３】
そして、それに加えて、上述しているように当該機器では、指などが所定距離Ｌ以上で有効方向に向けて移動され、かつその所定距離Ｌが移動時間Ｔ以下でなされたことの判定も合わせて行っている。つまり、指などの移動方向が図１１中での有効な方向に合致していても、図１２に示すように、所定距離Ｌ未満の指などの移動の場合や上記所定距離Ｌが移動時間Ｔを超えてなされた場合には、フリック操作を無効と判定するものとしている。
【００４４】
これらの判定条件であれば、例えば車中での振動に起因する指などの少しの移動による誤操作が防止できる上、後述する開いたポップアップ表示７０を他のアイコンに対応するポップアップ表示に切り換える場合等に有用であるため上記判定条件を用いたものとしている。
【００４５】
なお、上記のフリック操作後や、指などが有効ではない方向に向けて移動されることなどによって、指などに応じた座標位置がポップアップ表示７０の「範囲４」内に検出されない状態で時間ｔ４が経過すると、ポップアップ表示７０は自動で閉じる。その後は、移動先の指などが検出されている座標位置とその位置での感度変化の大きさなどを基に適合するステップに戻る。
【００４６】
例えば感度変化が閾値Ｂを超えた状態のまま、移動先の「ＤＥＦ」のアイコン内に指などの座標位置が検出されれば、そのアイコンが予告表示になった後、時間ｔ３を経過すれば、「ＤＥＦ」に応じたポップアップ表示が開く。この場合には、予告表示を即座に行うように制御してもよい。一方、感度変化が閾値Ａより小さくなっていれば、その新たな座標位置での感度変化の大きさなどを基に適合するステップに戻る。
【００４７】
最後に、リターンキーへの操作をして、表示領域５０内の「Ａ」の文字を最終入力させる。リターンキーへの操作も、上述同様なポップアップ表示が開いて有効なフリック操作によって確定させるものであれば文字の確定と同様の操作で行えるため使用者にとって判り易い。
【００４８】
なお、図１３に示したように、リターンキーのポップアップ表示７１を、「リターンキー」の一つのみが中央部に連結している構成としておき、その方向に対応した２２５度以上３１５度未満の方向に向けてのフリック操作のみを有効と判定するようにしておくとよい。つまり、最終の入力時にリターンキー単独での確定ができて上記最終の入力がなされる仕様とすれば、誤操作が少なくなり好ましい。なお、リターンキーへの操作は、フリック操作以外で確定されるものであってもよい。
【００４９】
なお、ポップアップ表示の選択候補の数は、特に限定されない。例えば、日本語入力アイコン４０の下位の画面としては、「あ行」、「か行」、・・・がそれぞれアイコン化されたものがあげられるが、この場合のポップアップ表示の選択候補は最大５個となり、周囲位置にそれらの選択候補が重ならないように配され、それぞれ毎に対応する有効なフリック操作で個々にそれらの選択候補が確定可能であればよい。
【００５０】
次に、「Ａ」、「Ｂ」、「Ｃ」の順に文字を確定させていき、表示領域５０内に「ＡＢＣ」の文字を表示させた後、その「ＡＢＣ」を、最終入力をする場合について説明する。
【００５１】
まず、上述した図９の「ＡＢＣ」のアイコンに応じたポップアップ表示７０が開いた状態で、左方向に向けて有効なフリック操作をして「Ａ」の文字を確定して表示領域５０内に「Ａ」の文字が表示されている状態とする。このときに、フリック操作した指などの座標位置は「範囲４」から外れるが、ポップアップ表示７０はその外れてから所定の時間ｔ４が経過するまでは表示され続ける制御がされているため、上記所定の時間ｔ４内に指などが「範囲４」内に戻されてその座標位置が認識され、かつその座標位置での感度変化が閾値Ｂを超えていると、続けて中央部から右方向に有効なフリック操作をすれば選択候補の文字「Ｂ」が確定され、表示領域５０内には「ＡＢ」と表示される。さらに、指などが戻されて中央部から後方向に有効なフリック操作をすれば選択候補の文字「Ｃ」が確定され、表示領域５０内には「ＡＢＣ」と表示される。なお、表示領域５０内の「ＡＢＣ」の中の「Ｃ」を削除するにはバックスペースキーを用いるなどとすればよい。
【００５２】
上記の指などを戻す動作は、ポップアップ表示７０での有効とされる指などの移動方向と異なり、またその際の移動速度も異なるため、それらを基に制御部は上記指などを戻す動作をフリック操作以外の指などの移動動作と容易に判別制御して、上記の繰り返し操作が可能となる。
【００５３】
なお、上記の繰り返し操作を前提とした場合、ポップアップ表示７０に対しても、中央部内に指などの座標位置が所定時間以上認識され、かつ閾値Ｂを超えている際に予告表示が中央部になされるようにすると視認しやすくなり好ましい。
【００５４】
そして、最後に、リターンキーへの操作により表示領域５０内の「ＡＢＣ」の文字を最終入力させることは上述したとおりである。
【００５５】
以上のように、当該機器では、画面に表示されるアイコンに指などを近接させていき、指などをフリック操作するのみで、所望の選択候補が簡単に確定できるものとなっている。
【００５６】
また、その所望の選択候補は、指などのアイコンへの近接に応じてポップアップ表示が開き、そのポップアップ表示として、周囲位置に選択候補が連結して位置された形態のものとしたため、所望の選択候補が表示されている方向に向けて指などをフリック操作をする際に、複数の選択候補を同時に視認しつつそれらの中から所望のものを容易に確定させることができる。
【００５７】
なお、本発明は、確定操作用としてフリック操作を用いることを主旨とするため、上述した文字入力以外に本発明を適用させることも可能である。例えば、機器の所定機能を作動させる操作メニューなどに対しても本発明を適用してもよい。この場合でも、ポップアップ表示された所望の選択候補の方向に向けてフリック操作して確定させるものとすると、所定動作を行うための複数の機能名などが同時に視認できるため操作性に優れた使い易いものに実現できる。また、画面の切り替え用のアイコンをポップアップ表示させたりして、そのアイコンへのフリック操作で所望の画面に切り換え可能となるものなどとしてもよい。なお、ポップアップ表示の形式としても、図９に示したもののみに限定されることはなく、選択候補がフリック操作しやすい位置に適宜配されたものであればよい。
【００５８】
なお、選択候補がポップアップ表示されることは必須ではなく、アイコンに指などを近接させ、ポップアップ表示がなされることなく有効なフリック操作がされて、そのアイコンに割り当てられた機能が働くものは本発明の範疇に入る。
【００５９】
そして、対象とする電子機器は、スマートフォン以外に例えばパッド式のものなどであってもよい。
【００６０】
さらには、上記にはフリック操作による確定のみで操作している状態を説明したが、従来どおりのタッチ操作による確定が併用されていてもよい。
【００６１】
なお、静電容量式タッチパネル２０に近接させると、その位置の感度変化が生じるものであれば、指以外であってもよく、また、その静電容量式タッチパネル２０としても、上述したように詳細構成は限定されることはなく、指などの近接状態が検出可能であれば、静電容量式タッチパネルに限定されることはない。
【産業上の利用可能性】
【００６２】
本発明による電子機器は、所望のアイコンや操作メニューに指などを近づけてフリック操作をするのみで、所望のものを容易に確定できる使い易いものとして提供できるという有利な効果を有し、各種操作を表示部上で行うタイプの各種電子機器に有用である。
【符号の説明】
【００６３】
１０  ケース
１２  配線基板
１４  表示素子
１６  カバー部材
１８  電池パック
２０  静電容量式タッチパネル
２１  上基板
２２  上導電層
２３  上導電層の配線部
２４  上電極
２５  下基板
２６  下導電層
２７  下導電層の配線部
２８  下電極
２９  フレキシブル配線板
３０  英字入力アイコン
４０  日本語入力アイコン
５０  表示領域
６０  英字入力モード部
７０、７１  ポップアップ表示
【図１】
2014067146.tif 000003
【図２】
2014067146.tif 000004
【図３】
2014067146.tif 000005
【図４】
2014067146.tif 000006
【図５】
2014067146.tif 000007
【図６】
2014067146.tif 000008
【図７】
2014067146.tif 000009
【図８】
2014067146.tif 000010
【図９】
2014067146.tif 000011
【図１０】
2014067146.tif 000012
【図１１】
2014067146.tif 000013
【図１２】
2014067146.tif 000014
【図１３】
2014067146.tif 000015